【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
実写画像中に含まれる被写体領域を検出するための被写体検出情報の調整方法であって、
実写画像を取得する実写画像取得工程と、
現在登録されている前記被写体検出情報を用いて、前記実写画像から前記被写体領域を抽出し、前記実写画像中の前記被写体領域と、それ以外の領域とが視覚的に異なって表わされる被写体領域画像を生成する被写体領域画像生成工程と、
前記被写体領域画像を半透明画像として前記実写画像上に重畳した調整用画像を生成する調整用画像生成工程と、
前記調整用画像をユーザインタフェースとともに提示する提示工程と、
前記ユーザインタフェースを介して指定された前記調整用画像の領域に対応する前記実写画像の領域の色情報から、追加又は削除すべき被写体検出情報を生成し、前記現在登録されている被写体検出情報を更新する更新工程と、
を有することを特徴とする被写体検出情報の調整方法。
【請求項２】
前記被写体領域画像の、前記被写体領域と、前記それ以外の領域とが、異なる色によって表されることを特徴とする請求項１記載の被写体検出情報の調整方法。
【請求項３】
実写画像中に含まれる被写体領域を検出するための被写体検出情報の調整方法であって、
登録されている被写体検出情報を用いて、入力実写画像から被写体領域の検出結果を表示させ、
ユーザ指示に基づき、前記検出結果からノイズ領域を選択し、
前記選択されたノイズ領域に基づき、前記被写体検出情報を調整することを特徴とする被写体検出情報の調整方法。
【請求項４】
前記被写体検出情報は色情報であり、
背景の実写画像と、背景および被写体が含まれる実写画像とを比較することにより、前記色情報を抽出することを特徴とする請求項３記載の被写体検出情報の調整方法。
【請求項５】
前記被写体検出情報の調整は、前記選択されたノイズ領域に含まれる色情報を、前記被写体検出情報である色情報に対して追加もしくは除去する処理であることを特徴とする請求項３記載の被写体検出情報の調整方法。
【請求項６】
請求項１乃至請求項５のいずれか１項に記載の被写体検出情報の調整方法の各工程をコンピュータに実行させるためのプログラム。
【請求項７】
請求項６記載のプログラムを記録したコンピュータ読み取り可能な記録媒体。
【請求項８】
実写画像中に含まれる被写体領域を検出するための被写体検出情報の調整装置であって、
実写画像を取得する実写画像取得手段と、
現在登録されている前記被写体検出情報を用いて、前記実写画像から前記被写体領域を抽出し、前記実写画像中の前記被写体領域と、それ以外の領域とが視覚的に異なって表わされる被写体領域画像を生成する被写体領域画像生成手段と、
前記被写体領域画像を半透明画像として前記実写画像上に重畳した調整用画像を生成する調整用画像生成手段と、
前記調整用画像をユーザインタフェースとともに提示する提示手段と、
前記ユーザインタフェースを介して指定された前記調整用画像の領域に対応する前記実写画像の領域の色情報から、追加又は削除すべき被写体検出情報を生成し、前記現在登録されている被写体検出情報を更新する更新手段と、
を有することを特徴とする被写体検出情報の調整装置。
【請求項９】
実写画像中に含まれる被写体領域を検出するための被写体検出情報の調整装置であって、
登録されている被写体検出情報を用いて、入力実写画像から被写体領域の検出結果を表示させる表示手段と、
ユーザ指示に基づき、前記検出結果からノイズ領域を選択する選択手段と、
前記選択されたノイズ領域に基づき、前記被写体検出情報を調整する調整手段と
を有することを特徴とする被写体検出情報の調整装置。
【手続補正２】
【補正対象書類名】明細書
【補正対象項目名】発明の名称
【補正方法】変更
【補正の内容】
【発明の名称】被写体検出情報の調整方法及び調整装置
【手続補正３】
【補正対象書類名】明細書
【補正対象項目名】０００１
【補正方法】変更
【補正の内容】
【０００１】
本発明は、実写画像から所定の被写体領域を検出するために用いられる被写体検出情報の生成方法及び調整方法に関し、特に実写画像とコンピュータグラフィックスを、前記実写画像中の所定の被写体領域を考慮して合成する際に有用な被写体検出情報の調整方法及び調整装置に関する。
【手続補正４】
【補正対象書類名】明細書
【補正対象項目名】００１０
【補正方法】変更
【補正の内容】
【００１０】
上述の目的は、実写画像中に含まれる被写体領域を検出するための被写体検出情報の調整方法であって、実写画像を取得する実写画像取得工程と、現在登録されている被写体検出情報を用いて、実写画像から前記被写体領域を抽出し、実写画像中の前記被写体領域と、それ以外の領域とが視覚的に異なって表わされる被写体領域画像を生成する被写体領域画像生成工程と、被写体領域画像を半透明画像として実写画像上に重畳した調整用画像を生成する調整用画像生成工程と、調整用画像をユーザインタフェースとともに提示する提示工程と、ユーザインタフェースを介して指定された調整用画像の領域に対応する実写画像の領域の色情報から、追加又は削除すべき被写体検出情報を生成し、現在登録されている被写体検出情報を更新する更新工程と、を有することを特徴とする被写体検出情報の調整方法によって達成される。
【手続補正５】
【補正対象書類名】明細書
【補正対象項目名】００１１
【補正方法】変更
【補正の内容】
【００１１】
また、上述の目的は、実写画像中に含まれる被写体領域を検出するための被写体検出情報の調整装置であって、実写画像を取得する実写画像取得手段と、現在登録されている被写体検出情報を用いて、実写画像から前記被写体領域を抽出し、実写画像中の前記被写体領域と、それ以外の領域とが視覚的に異なって表わされる被写体領域画像を生成する被写体領域画像生成手段と、被写体領域画像を半透明画像として実写画像上に重畳した調整用画像を生成する調整用画像生成手段と、調整用画像をユーザインタフェースとともに提示する提示手段と、ユーザインタフェースを介して指定された調整用画像の領域に対応する実写画像の領域の色情報から、追加又は削除すべき被写体検出情報を生成し、現在登録されている被写体検出情報を更新する更新手段と、を有することを特徴とする被写体検出情報の調整装置によっても達成される。
【手続補正６】
【補正対象書類名】明細書
【補正対象項目名】００１２
【補正方法】変更
【補正の内容】
【００１２】
また、上述の目的は、実写画像中に含まれる被写体領域を検出するための被写体検出情報の調整方法であって、登録されている被写体検出情報を用いて、入力実写画像から被写体領域の検出結果を表示させ、ユーザ指示に基づき、検出結果からノイズ領域を選択し、選択されたノイズ領域に基づき、被写体検出情報を調整することを特徴とする被写体検出情報の調整方法によっても達成される。
また、上述の目的は、実写画像中に含まれる被写体領域を検出するための被写体検出情報の調整装置であって、登録されている被写体検出情報を用いて、入力実写画像から被写体領域の検出結果を表示させる表示手段と、ユーザ指示に基づき、検出結果からノイズ領域を選択する選択手段と、選択されたノイズ領域に基づき、被写体検出情報を調整する調整手段とを有することを特徴とする被写体検出情報の調整装置によっても達成される。
【手続補正７】
【補正対象書類名】明細書
【補正対象項目名】００１３
【補正方法】変更
【補正の内容】
【００１３】
また、上述の目的は、本発明の被写体検出情報の調整方法をコンピュータに実行させるためのプログラム、又はこのプログラムを記録したコンピュータ読み取り可能な記録媒体によっても達成される。